(57)【要約】      （修正有）【課題】従来のサイクロン式セパレータでは捕集できないテープ状物、シート状物などを捕集し排出することを可能としたエアロック式セパレータを提供する。【解決手段】除塵対象となる機械部と集塵機との間に設置されるエアロック式セパレータ２４であって、中空筐体状のセパレータ本体部３０と、多数のパンチング穴を有する一対の相対向する円板状羽根支持板３２と一対の相対向する円板状羽根支持板３２の中心部に両端部が回転自在に取り付けられた回転中心軸４０と該回転中心軸４０から放射方向に突設された６枚の羽根板４２とを含みかつセパレータ本体部３０内に設置されたドラム体３８と、セパレータ本体部３０の上部に機械側エアーを導入するエアー導入部３６と、セパレータ本体部３０の上部に導入された機械側エアーを集塵機側エアーとして吸引するエアー吸引部と、セパレータ本体部３０の下部に逆洗エアーを導入する逆洗エアー導入部５４と、を有するようにした。【選択図】図４
0003209794.tif 000002
【実用新案登録請求の範囲】
【請求項１】
除塵対象となる機械部と集塵機との間に設置されるエアロック式セパレータであって、中空筐体状のセパレータ本体部と、多数のパンチング穴を有する一対の相対向する円板状羽根支持板と前記一対の相対向する円板状羽根支持板の中心部に両端部が回転自在に取り付けられた回転中心軸と該回転中心軸から放射方向に突設された６枚の羽根板とを含みかつ前記セパレータ本体部内に設置されたドラム体と、前記セパレータ本体部の上部に機械側エアーを導入するエアー導入部と、前記セパレータ本体部の上部に導入された機械側エアーを集塵機側エアーとして吸引するエアー吸引部と、前記セパレータ本体部の下部に逆洗エアーを導入する逆洗エアー導入部と、を有することを特徴とするエアロック式セパレータ。
【請求項２】
前記セパレータ本体部の下方に設けられかつ前記セパレータ本体部から下方に排出される捕集物を収納圧縮する捕集物圧縮機を設置することを特徴とする請求項１記載のエアロック式セパレータ。
【考案の詳細な説明】
【技術分野】
【０００１】
本考案は従来のサイクロン式セパレータでは捕集できないテープ状物、シート状物などを捕集し排出することを可能としたエアロック式セパレータに関する。
【背景技術】
【０００２】
従来の破砕機・選別機の集塵系では、図５に示すように、除塵対象となる機械１０とバグフィルター等の集塵機１２の間にサイクロン式セパレータ１４を設置して集塵系重比重物を捕集することで集塵機１２の詰り防止や清掃頻度を下げている。しかしながら、図６に示すように、サイクロン式セパレータ１４はエアー渦１６での比重分級のためテープ状物やシート状物の分離は難しい。現状の破砕機・選別機の集塵系においては、リサイクル関係法品目（容リ、建築廃材、自動車、家電、小型家電など）ではテープ状物、シート状物などがサイクロン式セパレータでは捕集できないことが問題となっている。
【考案の概要】
【考案が解決しようとする課題】
【０００３】
本考案は上記した問題点に鑑みなされたもので、上記したサイクロン式セパレータによっては捕集できないテープ状物、シート状物などの捕集および排出を可能とした専用装置であるエアロック式セパレータを提供することを目的とする。
【課題を解決するための手段】
【０００４】
本考案のエアロック式セパレータは、上記した問題を解決するために考案されたもので、除塵対象となる機械部と集塵機との間に設置されるエアロック式セパレータであって、中空筐体状のセパレータ本体部と、多数のパンチング穴を有する一対の相対向する円板状羽根支持板と前記一対の相対向する円板状羽根支持板の中心部に両端部が回転自在に取り付けられた回転中心軸と該回転中心軸から放射方向に突設された６枚の羽根板とを含みかつ前記セパレータ本体部内に設置されたドラム体と、前記セパレータ本体部の上部に機械側エアーを導入するエアー導入部と、前記セパレータ本体部の上部に導入された機械側エアーを集塵機側エアーとして吸引するエアー吸引部と、前記セパレータ本体部の下部に逆洗エアーを導入する逆洗エアー導入部と、を有することを特徴とする。
【０００５】
前記セパレータ本体部の下方に設けられかつ前記セパレータ本体部から下方に排出される捕集物を収納圧縮する捕集物圧縮機を設置するのが好適である。
【考案の効果】
【０００６】
本考案のエアロック式セパレータによれば、破砕機・選別機等の集塵系でテープ状物、シート状物を捕集することで、集塵機の清掃頻度が低下、詰りによる故障が回避、フィルター延命ができることで維持管理のための人件費、部品費の削減への効果が見込まれ、長期間利用することで効果費用は蓄積されるという多大な効果を達成することが可能である。
【図面の簡単な説明】
【０００７】
【図１】本考案のエアロック式セパレータの設置態様の一例を示す概略説明図である。
【図２】本考案のエアロック式セパレータの分離態様を示す概略説明図である。
【図３】本考案のエアロック式セパレータの構造を示す概略説明図で、（ａ）は正面図、（ｂ）は側面図、（ｃ）は底面図である。
【図４】図３に示したエアロック式セパレータにおける分離態様を示す概略説明図で、（ａ）は正面図、（ｂ）は側面図である。
【図５】従来の破砕機・選別機の集塵系におけるサイクロン式セパレータの配置を示す説明図である。
【図６】従来のサイクロン式セパレータによる分離態様を示す説明図である。
【考案を実施するための形態】
【０００８】
以下に本考案の実施の形態を図１〜図４に基づいて説明するが、これらは例示的に示されるもので、本考案の技術思想から逸脱しない限り種々の変形が可能なことはいうまでもない。
【０００９】
図１は本考案のエアロック式セパレータの分離態様を示す概略説明図であり、
除塵対象となる機械２０と集塵機２２の間にエアロック式セパレータ２４を設置し、エアロック式セパレータ２４によってテープ状物、シート状物などの捕集を行うものである。図１において、２６は捕集物圧縮機で、上記したエアロック式セパレータ２４において捕集され、下方に排出された捕集物を圧縮する機械である。
【００１０】
図２は本考案のエアロック式セパレータの分離態様を示す概略説明図であり、Ａ１は、エアロック式セパレータ２４のセパレータ本体部上部に前記した除塵対象となる機械２０から導入される機械側エアーであり、Ａ２は、エアロック式セパレータ２４のセパレータ本体部上部から前記した集塵機２２によって吸引される集塵機側エアーである。Ｂはエアロック式セパレータ２４のセパレータ本体部下部に導入される逆洗エアーであり、２８は逆洗エアーＢを導入する作用を行う逆洗エアー導入部である。なお、上記した機械側エアーＡ１と集塵機側エアーＡ２とはセパレータ本体部上部を貫通して流れるエアー流となる。一方、
セパレータ本体部下部に導入される逆洗エアーＢはセパレータ本体部下部に導入されるのみで貫通エアーとなることはない。
【００１１】
図３は本考案のエアロック式セパレータ２４の構造を示す概略説明図で、図３（ａ）に示される正面図において、３０Ａは中空筐体状のセパレータ本体部３０を構成するカバー体、３２は当該カバー体３０の内面側に設けられた一対の相対向する円板状羽根支持板で、当該円板状羽根支持板３２には多数のパンチング穴（図示せず）が穿設されている。３４は前記円板状羽根支持板を回転させる作用をおこなうモータである。３６は機械２０からの機械側エアーＡ１をエアロック式セパレータ２４内に導入するエアー導入口である。
【００１２】
図３（ｂ）に示される側面図において、３８はドラム体であり、前記パンチング穴を有する一対の円板状羽根支持板３２（図示例では概略的に環状形状部のみが示されている）と、前記円板状羽根支持板３２の中心部に両端部が取り付けられかつ前記セパレータ本体部の中空部分に横方向に回転自在に設けられた回転中心軸４０と該回転中心軸４０から放射方向に突設された６枚の羽根板４２とを含んでいる。同図において、４４は覗き窓、４６は開閉扉、矢印Ｘはドラム体３８の回転方向を示すものである。
【００１３】
図３（ｃ）に示される底面図において、４８は底板、５０は取り出し用開口部である。
【００１４】
図４は、図３に示したエアロック式セパレータにおける集塵態様を示す概略説明図で、５２は上部に集塵開口部（図示せず）を設けてある集塵タワーで、エアー流ＡＳは当該集塵タワー５２を介して前記集塵機２２に吸引される。なお、図３において、図４に図示されている上記集塵タワー５２の図示は省略されている。符号５４は逆洗エアーを導入する逆洗エアー導入口である。なお、図３（ｂ）に示されている開閉扉４６は図４（ｂ）ではその図示は省略されている。
【００１５】
上記した構成により、その作用を説明する。
本考案のエアロック式セパレータ２４においては、パンチング穴を有する円板状羽根支持板を含むドラム体３８の上部及び下部で違う作用が実行される。前記ドラム体３８の上部では、機械２０から導入される機械側エアーＡ１と集塵機２２によって吸引される集塵機側エアーＡ２とがエアー貫通流となって機械側から流れ来るテープ状物やシート状物を捕集する。一方、前記ドラム体３８の下部では逆洗エアーが導入されることによってエアーの遮断が行われ、それにより上記したドラム体３８の上部で捕集された捕集物の排出が行われ、また導入されたエアーによって上記した円板状羽根支持板のパンチング穴の逆洗が行われる。
【００１６】
上述したように、破砕機・選別機等の集塵系でテープ状物、シート状物を捕集することで、集塵機の清掃頻度が低下、詰りによる故障を回避することが可能となり、フィルター延命ができることで維持管理のための人件費、部品費の削減への効果が見込まれ、長期間利用することで効果費用が蓄積されるという利点がある。
【符号の説明】
【００１７】
１０、２０：機械、１２、２２：集塵機、１４：サイクロン、１６：エアー渦、
２４：本考案のエアロック式セパレータ、２６：捕集物圧縮機、２８：逆洗エアー導入部、３０：セパレータ本体部、３０Ａ：カバー体、３２：円板状羽根支持板、３４：モータ、３６：エアー導入口、３８：ドラム体、４０：回転中心軸、４２：羽根板、４４：覗き窓４６：開閉扉、４８：底板、５０：取り出し用開口部、５２：集塵タワー、５４：逆洗エアー導入口、Ａ１：機械側エアー、Ａ２：集塵機側エアー、ＡＳ：エアー流、Ｂ：逆洗エアー、Ｘ：ドラム体の回転方向．
【図１】
0003209794.tif 000003
【図２】
0003209794.tif 000004
【図３】
0003209794.tif 000005
【図４】
0003209794.tif 000006
【図５】
0003209794.tif 000007
【図６】
0003209794.tif 000008